(57)【要約】    【課題】回転ダンパの管理が容易で且つ組み立て作業を容易に行うことができる洋式便器やピアノなどに用いられるダンパ付き開閉機構を提供する。      【解決手段】本体部材１８側の２個のヒンジ部２２，２４のそれぞれの同じ側に、開閉部材２０側の対応するヒンジ部２６，２８を隣接配置する。互いに向き合ったヒンジ部２２，２６間及びヒンジ部２４，２８間に、方向性を有する回転ダンパ３０を配置し、該回転ダンパ３０の一方側の取付部３０ｅを本体部材１８のヒンジ部２２に設けた取付部２２ａに結合し、他方側の取付部３０ｃを開閉部材２０側のヒンジ部２６，２８に設けた取付部２６ａ，２８ａに結合する。これにより回転ダンパ３０を回転中心として開閉部材２０を本体部材１８に揺動自在に支承し、開閉部材２０が回転ダンパ３０を中心として揺動するとこの揺動運動に回転ダンパ３０の制動力が付与される。  【選択図】  図１
2006112587.tif 000002
【特許請求の範囲】
【請求項１】
本体部材１８側に所定間隔を存して少なくとも２個設けたヒンジ部２２，２４と開閉部材２０側に前記各ヒンジ部２２，２４に対応して少なくとも２個設けたヒンジ部２６，２８とを備え、前記本体部材１８側のヒンジ部２２，２４の中、１つのヒンジ部２２の片側Ｓ１と、他のヒンジ部２４の、前記１つのヒンジ部２２の片側Ｓ１と同じ側の片側Ｓ２に、前記開閉部材２０側の対応するヒンジ部２６，２８を対向配置し、前記本体部材１８側の各ヒンジ部２２，２４に、その同一方向側の各片側Ｓ１，Ｓ２に解放された回転ダンパ用の取付部２２ａ，２４ａを設け、前記開閉部材２０側の各ヒンジ部２６，２８に、前記本体部材１８側の各ヒンジ部２２，２４に対面する側の各片側Ｓ３，Ｓ４に解放された回転ダンパ用の取付部２６ａ，２８ａを設け、互いに向き合ったヒンジ部間に、制動力が非対称型であり、両端側に取付部３０ｃ，３０ｅを有する回転ダンパ３０を配置し、該回転ダンパ３０の一方側の取付部３０ｅを前記本体部材１８のヒンジ部２２，２４に設けた取付部２２ａ，２４ａに結合し、該回転ダンパ３０の他方側の取付部３０ｃを前記開閉部材２０側のヒンジ部２６，２８に設けた取付部２６ａ，２８ａに結合し、該回転ダンパ３０を回転中心として前記開閉部材２０を前記本体部材１８に揺動自在に支承し、前記開閉部材２０の前記回転ダンパ３０を中心とする揺動運動に前記回転ダンパ３０の制動力が付与されるようにしたことを特徴とするダンパ付き開閉機構。
【請求項２】
前記回転ダンパ３０は筒状のハウジング３０ａと該ハウジング３０ａ内に一部が回転自在に収納され該ハウジング３０ａに対して相対回転自在な回転部材３０ｂとからなり、前記回転ダンパ３０の両端側に設けられた取付部の中、一端側の取付部３０ｃは前記ハウジング３０ａの端部に形成され、他端側の取付部３０ｅは前記回転部材３０ｂの端部に形成されてなり、前記回転ダンパ３０の一端側の取付部３０ｃと他端側の取付部３０ｅの形状が対称形となるようにしたことを特徴とする請求項１に記載のダンパ付き開閉機構。
【発明の詳細な説明】
【技術分野】
【０００１】
本発明は洋式便器やピアノ等に用いられるダンパ付き開閉機構に関する。
【背景技術】
【０００２】
従来、図５に示すように、洋式便器等において、便器本体部材２側に一対のヒンジ部４，６を設け、便座又は便蓋などの開閉部材８側にヒンジ部１０，１２を設け、該開閉部材８側のヒンジ部１０，１２のうち、一方１０を対応する本体部材２側のヒンジ部４の左側に配置し、他方１２を、対応する本体部材２側のヒンジ部６の右側に配置し、対向するヒンジ部４とヒンジ部１０の間及びヒンジ部６とヒンジ部１２との間を、制動力が非対称型の方向性を有する回転ダンパ１４，１６で結合したダンパ付き開閉機構が知られている（例えば特許文献１参照）。
【０００３】
図５において、回転ダンパ１４の筒状のハウジング１４ａには、回転止め面を有する取付部１４ｂが形成され、該取付部１４ｂは、ヒンジ部４側に形成された、回転止め面を有する取付部４ａに結合している。回転ダンパ１４の回転部材１４ｃの、ハウジング１４ａから突出する軸状の部分には、回転止め面を有する取付部１４ｄが形成され、該取付部１４ｄは、ヒンジ部１０側に形成された、回転止め面を有する取付部１０ａに結合している。回転ダンパ１６とヒンジ部６，１２との関係も、上記と同様な取り付け構造となっている。図５中、左右の回転ダンパ１４，１６は同軸線上に配置されている。
【特許文献１】特開平１０−２０１６７０号公報
【発明の開示】
【発明が解決しようとする課題】
【０００４】
図５に示すように、開閉部材８側のヒンジ部１０，１２が、本体部材２側のヒンジ部４，６の異なる側に配置され、ヒンジ部４，１０とヒンジ部６，１２が左右対称の構成となっていると、左側のヒンジ部４，１０間に配置される回転ダンパ１４と、右側のヒンジ部６，１２間に配置される回転ダンパ１６とでは、回転部材のハウジングに対する相対的回転方向が逆となってしまう。
【０００５】
即ち、図５において、開閉部材８の蓋部分（図示省略）が紙面垂直方向に手前側に延びた、蓋を閉じた状態から起立方向に、同軸線上に配置された回転ダンパ１４，１６を中心として、揺動すると、左側の回転ダンパ１４は、その回転部材１４ｃが、ハウジング１４ａに対して時計方向に回転し、右側の回転ダンパ１６は、その回転部材１６ｃが、ハウジング１６ａに対して反時計方向に回転する。即ち、回転ダンパ１４，１６は回転方向が逆となる。
【０００６】
従って、制動力が非対称型の回転ダンパを使用する場合には、時計方向回転用と反時計方向回転用の制動方向の異なる２種類の回転ダンパを用意する必要がある。そのため、部品管理が複雑となり、且つ、量産効果も期待できないという問題点があった。また、回転ダンパを取り付ける場合、２種類の回転ダンパの左右の取り付け位置を間違えてしまった場合には、正しい回転が回転ダンパに伝達されず、目的の制動特性が得られないという問題点があった。
本発明は上記問題点を解決することを目的とするものである。
【課題を解決するための手段】
【０００７】
上記目的を達成するため本発明は、本体部材１８側に所定間隔を存して少なくとも２個設けたヒンジ部２２，２４と開閉部材２０側に前記各ヒンジ部２２，２４に対応して少なくとも２個設けたヒンジ部２６，２８とを備え、前記本体部材１８側のヒンジ部２２，２４の中、１つのヒンジ部２２の片側Ｓ１と、他のヒンジ部２４の、前記１つのヒンジ部２２の片側Ｓ１と同じ側の片側Ｓ２に、前記開閉部材２０側の対応するヒンジ部２６，２８を対向配置し、前記本体部材１８側の各ヒンジ部２２，２４に、その同一方向側の各片側Ｓ１，Ｓ２に解放された回転ダンパ用の取付部２２ａ，２４ａを設け、前記開閉部材２０側の各ヒンジ部２６，２８に、前記本体部材１８側の各ヒンジ部２２，２４に対面する側の各片側Ｓ３，Ｓ４に解放された回転ダンパ用の取付部２６ａ，２８ａを設け、互いに向き合ったヒンジ部間に、制動力が非対称型であり、両端側に取付部３０ｃ，３０ｅを有する回転ダンパ３０を配置し、該回転ダンパ３０の一方側の取付部３０ｅを前記本体部材１８のヒンジ部２２，２４に設けた取付部２２ａ，２４ａに結合し、該回転ダンパ３０の他方側の取付部３０ｃを前記開閉部材２０側のヒンジ部２６，２８に設けた取付部２６ａ，２８ａに結合し、該回転ダンパ３０を回転中心として前記開閉部材２０を前記本体部材１８に揺動自在に支承し、前記開閉部材２０の前記回転ダンパ３０を中心とする揺動運動に前記回転ダンパ３０の制動力が付与されるようにしたものである。
また本発明は、前記回転ダンパ３０は筒状のハウジング３０ａと該ハウジング３０ａ内に一部が回転自在に収納され該ハウジング３０ａに対して相対回転自在な回転部材３０ｂとからなり、前記回転ダンパ３０の両端側に設けられた取付部の中、一端側の取付部３０ｃは前記ハウジング３０ａの端部に形成され、他端側の取付部３０ｅは前記回転部材３０ｂの端部に形成されてなり、前記回転ダンパ３０の一端側の取付部３０ｃと他端側の取付部３０ｅの形状が対称形となるようにしたものである。
【発明の効果】
【０００８】
本発明は方向性を有する回転ダンパを複数使用するダンパ付き開閉機構において、回転ダンパは１種類用意すれば良いので、部品管理が容易であり、且つ量産が可能となる。
また組み立て時において、回転ダンパの左右の取り付け位置を間違える恐れがなく、組み立て作業を能率的に行うことができる。
また請求項２の発明によれば、回転ダンパの組み付け方向に関係なく、全く同等の制動効果を発揮させることができるので、組み立て時に、作業者が回転ダンパの組み付け方向を意識せずに組み付けることができ、組み付け作業の効率を向上させることができる。
【発明を実施するための最良の形態】
【０００９】
以下に本発明の実施の形態を添付した図面を参照して詳細に説明する。
図１において、符号１８は本体部材を示し、洋式便器やピアノ、各種の蓋付き収納箱等の本体により構成される。前記本体部材１８の便座や便蓋、あるいはピアノの蓋などの開閉部材２０が取り付けられる部分には、所定間隔を存して、突片からなるヒンジ部２２，２４が設けられている。
【００１０】
このヒンジ部２２，２４は、本実施形態では２個であるが、特に２個に限定されるものではなく、２個以上設けても良い。前記開閉部材２０には、前記本体部材側のヒンジ部２２，２４に対応して、ヒンジ部２６，２８が形成されている。前記開閉部材２０側のヒンジ部２６，２８は、図１に示すように、対応する本体部材１８側のヒンジ部２２，２４の左側Ｓ１，Ｓ２に隣接配置されている。
【００１１】
尚、他の実施形態としては、開閉部材側のヒンジ部２６，２８を、対応する本体部材側のヒンジ部２２，２４の右側に隣接配置する構成としても良い。隣接対向する一対のヒンジ部２２，２６と、ヒンジ部２４，２８には、それぞれ同一軸線上に、回転ダンパ３０の筒状のハウジング３０ａを収納するハウジング収納部３４，３６と３８，４０が穿設されている。
【００１２】
また、前記軸線上には、前記ヒンジ部２２と２６、ヒンジ部２４と２８にそれぞれ、回転止め面を有する互いに同一形状のダンパ取付部２２ａと２６ａ、ダンパ取付部２４ａと２８ａが穿設されている。前記ダンパ取付部２２ａ，２４ａはヒンジ部２２，２４の片側Ｓ１，Ｓ２に解放され、ダンパ取付部２６ａ，２８ａはヒンジ部２６，２８の片側Ｓ３，Ｓ４に解放され、これら解放側から回転ダンパ３０が取り付けられるように構成されている。前記回転ダンパ３０は、筒状の、オイルが充填されたハウジング３０ａと、これに一部が回転自在に嵌合する回転部材３０ｂとからなり、本実施形態では、図３に示す構造の、回転方向によって異なる制動特性を出力する非対称型のものが使用されている。
【００１３】
非対称型回転ダンパは、回転部材３０ｂの、ハウジング３０ａに対する相対的な回転方向によって、負荷に作用する制動力が異なるものである。図３に示す非対称型回転ダンパ３０は、回転部材３０ｂが、ハウジング３０ａに対して初期位置（Ａ）の状態から時計方向に相対回転すると、回転部材３０ｂに作用するトルクは、図３（Ａ）（Ｂ）（Ｃ）（Ｄ）に示すように、低トルク、低トルク、低トルクから高トルク、高トルクと順次変化する。
【００１４】
高トルク（Ｄ）の状態から、回転部材３０ｂがハウジング３０ａに対して反時計方向に相対的に回転すると、回転部材３０ｂに作用するトルクは、高トルク、高トルクから低トルク、低トルクと順次変化する。図３に示す非対称型回転ダンパの内部構造は、特開２００１−３４９３６４号公報に示され、従来公知であり、しかも本発明は特に図３に示す内部構造の回転ダンパに限定されるものではないので、その詳細な説明を省略する。
【００１５】
前記ハウジング３０ａの一端底部の中心部には、該ハウジング３０ａと同軸線上に、軸状の、回転止め面ａを有する取付部３０ｃが突設されている。ハウジング３０ａ内には制動力を発揮せしめるための粘性流体が充填されている。３０ｄはハウジング３０ａのキャップである。また回転ダンパ３０の回転部材３０ｂには、前記取付部３０ｃと同一形状の取付部３０ｅが、突設されている。
【００１６】
これにより、前記回転ダンパ３０は、軸方向の、図２中、左右両端側の取付部３０ｃ，３０ｅが左右対称形となっている。前記回転ダンパ３０，３０の各ハウジング３０ａは、前記ハウジング収納部３４，３６と３８，４０に回転自在に嵌合配置され、各取付部３０ｃと３０ｅは、それぞれ対応する取付部２６ａ，２２ａ及び２８ａ，２４ａに嵌合配置されこれらに結合されている。４２はストッパーであり、本体部材１８に設けられており、開閉部材２０が、図１中、左側方向に抜け出ないようになっている。
【００１７】
上記した構成において、開閉部材２０の蓋部分（図示省略）が図１中、紙面垂直方向に手前側に延びた蓋を閉じた状態から起立方向に揺動されると、矢印方向Ａから見たとき、開閉部材２０は、ヒンジ部２２，２４を支点として反時計方向に回転する。このとき、左側の回転ダンパ３０のハウジング３０ａは、回転部材３０ｂに対して、反時計方向に回転する。同様に、右側の回転ダンパ３０のハウジング３０ａは、回転部材３０ｂに対して、反時計方向に回転する。即ち、右側と左側の回転ダンパの回転方向は同一となる。
【００１８】
そのため、開閉部材２０のヒンジ部の右側と左側に同一構造の即ち１種類の非対称型回転ダンパを使用することができる。図１に示す、左右の回転ダンパは、それぞれ、取付部３０ｃを左側として互いに同一の向きでヒンジ部に装着しているが、回転ダンパ３０の向きはどのような向きとしても良い。
図４は、右側の回転ダンパ３０の軸方向の向きを左側の回転ダンパ３０の軸方向の向きとは逆に配置したものであるが、この場合でも、開閉部材２０が同様に閉じた状態から起立方向に揺動されたとき、右側の回転ダンパ３０の回転部材３０ｂが矢印方向Ａから見たとき、反時計方向に回転し、ハウジング３０ａを基準として見れば、ハウジング３０ａは、回転部材３０ｂに対して相対的に反時計方向に回転し、結果的に、左右の回転ダンパ３０，３０の回転方向は同一となる。
【００１９】
従って、回転ダンパ３０，３０は、任意の向きで、ヒンジ部２２と２６との間、ヒンジ部２４と２８との間に装着することができる。本発明に使用される非対称型回転ダンパは、従来公知の特開平４−２８２０３９号公報に開示されている回転ダンパや、その他の回転方向によってトルク特性の異なる構造のものを使用することができる。
【図面の簡単な説明】
【００２０】
【図１】本発明の実施形態を示す断面図である。
【図２】回転ダンパの外観説明図である。
【図３】回転ダンパの動作説明図である。
【図４】本発明の他の実施形態を示す断面図である。
【図５】従来技術の断面図である。
【符号の説明】
【００２１】
２      本体部材
４      ヒンジ部
６      ヒンジ部
８      開閉部材
１０    ヒンジ部
１２    ヒンジ部
１４    回転ダンパ
１６    回転ダンパ
１８    本体部材
２０    開閉部材
２２    ヒンジ部
２４    ヒンジ部
２６    ヒンジ部
２８    ヒンジ部
３０    回転ダンパ
３４    ハウジング収納部
３６    ハウジング収納部
３８    ハウジング収納部
４０    ハウジング収納部
【図１】
2006112587.tif 000003
【図２】
2006112587.tif 000004
【図３】
2006112587.tif 000005
【図４】
2006112587.tif 000006
【図５】
2006112587.tif 000007